(57)【要約】【課題】中心波長が異なる複数種類のＯＣＴ光源を選択的に搭載することが容易な眼科撮影装置を提供する。【解決手段】眼科撮影装置１は、ＯＣＴ部３０および撮影素子２６を備える第一光学系１１０と、固視光源４６および短波長光学系５０を備える第二光学系１２０とを備える。また、眼科撮影装置１は、第一波長分離部材２２を備える。第一波長分離部材２２は、測定光、前眼部撮影光、固視光、および短波長光の共通光路１０に配置され、測定光および前眼部撮影光が通過する第一光路１１と、固視光および短波長光が通過する第二光路１２に共通光路１０を分岐する。【選択図】図１
2019080868.tif 000002
【特許請求の範囲】
【請求項１】
中心波長が赤外域である第一波長域にある光を照射する第一光学系と、
中心波長が前記第一波長域に対して短い第二波長域の光を照射する第二光学系と、
を備え、
前記第一光学系は、
ＯＣＴ光源から出射されたＯＣＴ光を測定光と参照光に分岐し、被検眼の組織によって反射された前記測定光の反射光と前記参照光の干渉光を受光することで、前記組織のＯＣＴ信号を取得する光コヒーレンストモグラフィ部と、
前記被検眼の前眼部によって反射された赤外光である前眼部撮影光を受光することで、前記被検眼の前眼部を撮影する撮影素子と、
を備え、
前記第二光学系は、
可視光である固視光を出射することで固指標を前記被検眼に投影する固視光源と、
前記測定光よりも波長が短く、且つ前記前眼部撮影光よりも波長が短い短波長光によって、前記被検眼の眼底の撮影、および前記被検眼への治療光の照射の少なくとも何れかを行う短波長光学系と、
を備え、
前記測定光、前記前眼部撮影光、前記固視光、および前記短波長光の共通光路に配置される波長分離部材であって、前記波長分離部材のミラー面を透過する光と、前記ミラー面によって反射される光とを分離することで、前記測定光および前記前眼部撮影光が通過する第一光路と、前記固視光および前記短波長光が通過する第二光路に前記共通光路を分岐する波長分離部材
を備え、
前記ミラー面と前記共通光路の光軸とがなす角度が、４５度より大きく且つ９０度未満であることを特徴とする眼科撮影装置。
【請求項２】
請求項１に記載の眼科撮影装置であって、
前記測定光の光路に配置された１つまたは複数のレンズに、前記測定光の色収差を補正する色消しレンズを含むことを特徴とする眼科撮影装置。
【請求項３】
請求項１または２に記載の眼科撮影装置であって、
前記測定光の光路に配置された１つまたは複数のレンズのうちの少なくとも何れかに、中心波長が異なる複数種類の前記ＯＣＴ光の反射を抑制するコーティングが施されていることを特徴とする眼科撮影装置。
【請求項４】
請求項１から３の何れかに記載の眼科撮影装置であって、
前記短波長光学系は、走査型レーザ検眼鏡、眼底カメラ、およびレーザ治療部の少なくとも何れかを備えることを特徴とする眼科撮影装置。
【請求項５】
請求項１から４の何れかに記載の眼科撮影装置であって、
前記前眼部撮影光を前記被検眼の前眼部に照射する前眼部撮影光源を更に備えることを特徴とする眼科撮影装置。
【請求項６】
ＯＣＴ光源から出射されたＯＣＴ光を測定光と参照光に分岐し、被検眼の組織によって反射された前記測定光の反射光と前記参照光の干渉光を受光することで、前記組織のＯＣＴ信号を取得する光コヒーレンストモグラフィ部を含む第一光学系と、
前記ＯＣＴ光の波長域を含む第一波長域よりも短い波長域である第二波長域内の光を前記被検眼に照射する第二光学系と、
を備え、
前記第一波長域は、ＳＤ−ＯＣＴにおいて用いられるＯＣＴ光源の波長と、ＳＳ−ＯＣＴにおいて用いられるＯＣＴ光源の波長との両方を含み、
前記第一光学系から照射される光および前記第二光学系から照射される光の共通光路に配置される波長分離部材であって、前記波長分離部材のミラー面を透過する光と、前記ミラー面によって反射される光とを分離することで、前記第一波長域の光が通過する第一光路と、前記第二波長域の光が通過する第二光路に前記共通光路を分岐する波長分離部材
を備えることを特徴とする眼科撮影装置。
【請求項７】
請求項６に記載の眼科撮影装置であって、
前記ミラー面と前記共通光路の光軸とがなす角度が、４５度より大きく且つ９０度未満であることを特徴とする眼科撮影装置。
【発明の詳細な説明】
【技術分野】
【０００１】
本開示は、眼科撮影装置に関する。
【背景技術】
【０００２】
従来、光コヒーレンストモグラフィ（ＯＣＴ）部と、被検眼の前眼部を撮影する撮影素子と、固視標を被検眼に投影する固視光源と、被検眼の眼底の撮影および被検眼への治療光の照射の少なくとも何れかを行う光学系とを備える眼科撮影装置が知られている。例えば、特許文献１に開示されている眼科検査装置は、光コヒーレンストモグラフィ部の一例であるＯＣＴ光学系と、被検眼の前眼部を撮影する前眼部観察光学系の受光素子と、固視光源の一例である固視標表示体と、眼底カメラ光学系を備えている。被検眼が配置される光路は、波長分離部材の一例であるダイクロイックミラーにより、ＯＣＴ光学系および前眼部観察光学系が配置される光路と、固視光源および眼底カメラ光学系が配置される光路とに分岐される。
【先行技術文献】
【特許文献】
【０００３】
【特許文献１】特開２０１６−１３２１０号公報
【発明の概要】
【発明が解決しようとする課題】
【０００４】
光コヒーレンストモグラフィ部には、中心波長が異なる種々のＯＣＴ光源が用いられる。例えば、ＳＤ−ＯＣＴにおいて用いられるＯＣＴ光源の中心波長と、ＳＳ−ＯＣＴにおいて用いられるＯＣＴ光源の中心波長は異なる場合がある。ＯＣＴ光源の中心波長が互いに異なる複数種類の眼科撮影装置が製造される場合には、ＯＣＴ光源に合わせて調整（例えば、光学部材の交換および位置変更等）が行われる必要がある。また、調整工数を減少させるために、複数種類のＯＣＴ光源に対して共通して使用可能な波長分離部材を採用する場合、波長分離部材により、波長が近い複数の光学系の光路を分岐しなくてはならない場合も生じ得る。従って、波長分離部材に高い性能が要求される。
【０００５】
本開示の典型的な目的は、中心波長が異なる複数種類のＯＣＴ光源を選択的に搭載することが容易な眼科撮影装置を提供することである。
【課題を解決するための手段】
【０００６】
本開示における典型的な実施形態の第一態様が提供する眼科撮影装置は、中心波長が赤外域である第一波長域にある光を照射する第一光学系と、中心波長が前記第一波長域に対して短い第二波長域の光を照射する第二光学系と、を備え、前記第一光学系は、ＯＣＴ光源から出射されたＯＣＴ光を測定光と参照光に分岐し、被検眼の組織によって反射された前記測定光の反射光と前記参照光の干渉光を受光することで、前記組織のＯＣＴ信号を取得する光コヒーレンストモグラフィ部と、前記被検眼の前眼部によって反射された赤外光である前眼部撮影光を受光することで、前記被検眼の前眼部を撮影する撮影素子と、を備え、前記第二光学系は、可視光である固視光を出射することで固指標を前記被検眼に投影する固視光源と、前記測定光よりも波長が短く、且つ前記前眼部撮影光よりも波長が短い短波長光によって、前記被検眼の眼底の撮影、および前記被検眼への治療光の照射の少なくとも何れかを行う短波長光学系と、を備え、前記測定光、前記前眼部撮影光、前記固視光、および前記短波長光の共通光路に配置される波長分離部材であって、前記波長分離部材のミラー面を透過する光と、前記ミラー面によって反射される光とを分離することで、前記測定光および前記前眼部撮影光が通過する第一光路と、前記固視光および前記短波長光が通過する第二光路に前記共通光路を分岐する波長分離部材を備え、前記ミラー面と前記共通光路の光軸とがなす角度が、４５度より大きく且つ９０度未満である。
【０００７】
本開示における典型的な実施形態の第二態様が提供する眼科撮影装置は、ＯＣＴ光源から出射されたＯＣＴ光を測定光と参照光に分岐し、被検眼の組織によって反射された前記測定光の反射光と前記参照光の干渉光を受光することで、前記組織のＯＣＴ信号を取得する光コヒーレンストモグラフィ部を含む第一光学系と、前記ＯＣＴ光の波長域を含む第一波長域よりも短い波長域である第二波長域内の光を前記被検眼に照射する第二光学系と、を備え、前記第一波長域は、ＳＤ−ＯＣＴにおいて用いられるＯＣＴ光源の波長と、ＳＳ−ＯＣＴにおいて用いられるＯＣＴ光源の波長との両方を含み、前記第一光学系から照射される光および前記第二光学系から照射される光の共通光路に配置される波長分離部材であって、前記波長分離部材のミラー面を透過する光と、前記ミラー面によって反射される光とを分離することで、前記第一波長域の光が通過する第一光路と、前記第二波長域の光が通過する第二光路に前記共通光路を分岐する波長分離部材を備える。
【０００８】
本開示に係る眼科撮影装置によると、中心波長が異なる複数種類のＯＣＴ光源を選択的に搭載することが容易となる。
【図面の簡単な説明】
【０００９】
【図１】眼科撮影装置１の概略構成を示す図である。
【図２】測定光の光路１１２に配置される光学系を説明するための図である。
【発明を実施するための形態】
【００１０】
＜概要＞
本開示で例示する眼科撮影装置の第一態様は、中心波長が赤外域である第一波長域にある光を照射する第一光学系と、中心波長が第一波長域に対して短い第二波長域の光を照射する第二光学系とを備える。第一光学系は、光コヒーレンストモグラフィ部と、撮影素子とを備える。光コヒーレンストモグラフィ部は、ＯＣＴ光源から出射されたＯＣＴ光を測定光と参照光に分岐し、被検眼の組織によって反射された測定光の反射光と参照光の干渉光を受光することで、組織のＯＣＴ信号を取得する。撮影素子は、被検眼の前眼部によって反射された赤外光である前眼部撮影光を受光することで、被検眼の前眼部を撮影する。第二光学系は、固視光源と、短波長光学系とを備える。固視光源は、可視光である固視光を出射することで固指標を被検眼に投影する。短波長光学系は、測定光および前眼部撮影光の何れよりも波長が短い短波長光によって、被検眼の眼底の撮影、および被検眼への治療光の照射の少なくとも何れかを行う。眼科撮影装置は、波長分離部材を備える。波長分離部材は、測定光、前眼部撮影光、固視光、および短波長光の共通光路に配置される。波長分離部材は、ミラー面を透過する光と、ミラー面によって反射される光とを分離することで、測定光および前眼部撮影光が通過する第一光路と、固視光および短波長光が通過する第二光路に共通光路を分岐する。ミラー面と共通光路の光軸とがなす角度は、４５度より大きく且つ９０度未満である。
【００１１】
この場合、波長分離部材は、共通光路を、第一光路と第二光路に精度良く分岐することができる。従って、短波長光の光路および固視光の光路において、ＯＣＴ光源の種類に合わせた調整を行う必要性を低減できる。また、波長分離部材は、共通光路を、測定光および前眼部撮影光の光路と、短波長光および固視光の光路に分岐できるものでよい。従って、波長分離部材は、例えば、特定の範囲の波長の光のみを透過または反射するバンドパス特性を有する必要はない。更に、波長分離部材のミラー面と共通光路の光軸とがなす角度を４５度より大きく且つ９０度未満とすることで、波長分離部材に、必ずしも高い精度（例えば、ミラーの厚み、コーティング等）は要求されない。よって、中心波長が異なる複数種類のＯＣＴ光源を選択的に眼科撮影装置に搭載することが容易になる。
【００１２】
なお、望ましくは、波長分離部材のミラー面と共通光路の光軸とがなす角度は、４５度より大きく且つ８０度未満である。更に望ましくは、波長分離部材のミラー面と共通光路の光軸とがなす角度は、４５度より大きく且つ７０度未満である。
【００１３】
測定光の光路に配置された１つまたは複数のレンズに、測定光の色収差を補正する色消しレンズを含んでいてもよい。この場合、色消しレンズにより、測定光の色収差が補正されることで、光コヒーレンストモグラフィ部は、収差の影響が抑制されたＯＣＴ信号を取得することができる。これにより、ＯＣＴ信号に基づき、より鮮明なデータ（例えば断層画像のデータ等）を生成することが可能となる。
【００１４】
例えば、色消しレンズによって、Ｗ１ｎｍ近傍の波長（例えば、８００ｎｍから９００ｎｍまでの波長）における色収差の補正、および、Ｗ２ｎｍ（≠Ｗ１ｎｍ）近傍の波長（例えば、１０００ｎｍから１１００ｎｍまでの波長）における色収差の補正の両方が可能であってもよい。また、例えば、色消しレンズによって、Ｗ１ｎｍ近傍からＷ２ｎｍ近傍までの波長（例えば、８００ｎｍから１１００ｎｍまでの波長）の色収差の補正が可能であってもよい。
【００１５】
なお、色消しレンズは、少なくとも１つの正レンズと少なくとも１つの負レンズを備えていてもよい。色消しレンズは、少なくとも１つの正レンズと少なくとも１つの負レンズが接合された接合レンズであってもよい。
【００１６】
望ましくは、色消しレンズは、１つの正レンズと１つの負レンズを備える。この場合、正レンズおよび負レンズの少なくとも一方が複数ある場合に比べて、レンズの反射面の数が少なくなる。従って、レンズによる光の反射によりＯＣＴ信号が乱れる可能性を低減できる。
【００１７】
また、眼科撮影装置は、色消しレンズを備えていなくてもよい。
【００１８】
測定光の光路に配置された１つまたは複数のレンズのうちの少なくとも何れかに、中心波長が異なる複数種類のＯＣＴ光の反射を抑制するコーティングが施されていてもよい。この場合、ＯＣＴ光源が交換された場合でも、レンズによる測定光の反射が抑制される。従って、より多くの部品を共通して使用することができる。
【００１９】
なお、コーティングは、例えば、８５０ｎｍ近傍の波長の光の反射と、１０５０ｎｍ近傍の波長の光の反射を共に抑制してもよい。
【００２０】
また、ＯＣＴ光源が交換される際に、測定光の光路に配置された１つまたは複数のレンズのうちの少なくともいずれかが、ＯＣＴ光源の波長に適したレンズに交換されてもよい。
【００２１】
短波長光学系は、走査型レーザ検眼鏡、眼底カメラ、およびレーザ治療部の少なくとも何れかを備えていてもよい。この場合、中心波長が異なる複数種類のＯＣＴ光源が選択的に搭載されても、走査型レーザ検眼鏡、眼底カメラ、およびレーザ治療部の少なくとも何れかが、ＯＣＴ光源の種類に合わせた多くの調整を行わずに容易に搭載される。
【００２２】
なお、短波長光学系は、走査型レーザ検眼鏡、眼底カメラ、およびレーザ治療部以外の装置（例えば、赤外カメラ等）を備えていてもよい。
【００２３】
眼科撮影装置は、前眼部撮影光を被検眼の前眼部に照射する前眼部撮影光源を更に備えていてもよい。この場合、眼科撮影装置は、前眼部を照明して、前眼部を撮影することができる。従って、前眼部が容易に撮影される。
【００２４】
なお、ＯＣＴ光源が交換される場合に、交換後のＯＣＴ光源に合わせて、前眼部撮影光源が交換されてもよい。詳細には、ＯＣＴ光源が交換される場合に、交換後のＯＣＴ光源の中心波長との差が大きい中心波長の前眼部撮影光源が用いられてもよい。例えば、ＯＣＴ光源の中心波長が８５０ｎｍである場合、中心波長が９６０ｎｍの前眼部撮影光源が用いられ、ＯＣＴ光源の中心波長が１０５０ｎｍである場合、中心波長が９３０ｎｍの前眼部撮影光源が用いられてもよい。また、眼科撮影装置は、第一光路に配置され、測定光の光路と前眼部撮影光の光路に第一光路を分岐する波長分離部材を備えてもよい。この場合、第一光路を分岐する波長分離部材は、第一光路を、測定光の光路と前眼部撮影光の光路に精度良く分岐することができる。
【００２５】
また、眼科撮影装置は、第二光路に配置され、固視光の光路と短波長光の光路に第二光路を分岐する波長分離部材を備えてもよい。
【００２６】
また、例えば、眼科撮影装置に中心波長が異なる少なくとも二つのＯＣＴ光源を選択的に搭載可能である場合、前眼部撮影光源の中心波長は、少なくとも二つのＯＣＴ光源の各々の中心波長の間であってもよい。この場合、前眼部撮影光源の中心波長を、複数のＯＣＴ光源の各々の中心波長よりも長い波長にする場合とは異なり、波長の長い光を受光可能な高価な撮影素子を用いる必要が無い。また、前眼部撮影光源の中心波長を、複数のＯＣＴ光源の各々の中心波長よりも短い波長とすると、波長分離部材による共通光路の分岐が困難になり易い。従って、前眼部撮影光源の中心波長を、少なくとも二つのＯＣＴ光源の中心波長の間とすることで、光路が適切に分岐されると共に、前眼部の撮影も容易に行われる。また、ＯＣＴ光源に応じて、第一光路を分岐する波長分離部材を交換してもよい。この場合でも、第一光路を分岐する波長分離部材は、第一光路を、測定光の光路と前眼部撮影光の光路に精度良く分岐することができる。
【００２７】
本開示で例示する眼科撮影装置の第二態様は、第一光学系および第二光学系を備える。第一光学系は、ＯＣＴ光源から出射されたＯＣＴ光を測定光と参照光に分岐し、被検眼の組織によって反射された測定光の反射光と参照光の干渉光を受光することで、組織のＯＣＴ信号を取得する光コヒーレンストモグラフィ部を含む。第二光学系は、ＯＣＴ光の波長域を含む第一波長域よりも短い波長域である第二波長域内の光を被検眼に照射する。第一波長域は、ＳＤ−ＯＣＴにおいて用いられるＯＣＴ光源の波長と、ＳＳ−ＯＣＴにおいて用いられるＯＣＴ光源の波長との両方を含む。眼科撮影装置は、波長分離部材を備える。波長分離部材は、第一光学系から照射される光および第二光学系から照射される光の共通光路に配置される。波長分離部材は、ミラー面を透過する光と、ミラー面によって反射される光とを分離することで、第一波長域の光が通過する第一光路と、前記第二波長域の光が通過する第二光路に共通光路を分岐する。この場合、波長分離部材は、共通光路を、第一光路と第二光路に精度良く分岐することができる。従って、第二光路において、ＯＣＴ光源の種類に合わせた調整を行う必要性を低減できる。また、波長分離部材は、共通光路を、第一光路と第二光路に分岐できるものでよい。従って、波長分離部材は、例えば、特定の範囲の波長の光のみを透過または反射するバンドパス特性を有する必要はない。よって、中心波長が異なる複数種類のＯＣＴ光源を選択的に眼科撮影装置に搭載することが容易になる。
【００２８】
ミラー面と共通光路の光軸とがなす角度が、４５度より大きく且つ９０度未満であってもよい。この場合、波長分離部材のミラー面と共通光路の光軸とがなす角度を４５度より大きく且つ９０度未満とすることで、波長分離部材に、必ずしも高い精度（例えば、ミラーの厚み、コーティング等）は要求されない。よって、中心波長が異なる複数種類のＯＣＴ光源を選択的に眼科撮影装置に搭載することが容易になる。
【００２９】
本開示では、共通光路を分岐する波長分離部材のミラー面と共通光路の光軸とがなすは、４５度より大きく且つ９０度未満である。しかしながら、共通光路を分岐する波長分離部材のミラー面と共通光路の光軸とがなす角度は、４５度より大きく且つ９０度未満でなくてもよい。更に、測定光の光路に配置された１つまたは複数のレンズに、測定光の色収差を補正する色消しレンズを含んでいてもよい。この場合、眼科撮影装置は、以下のように表現することも可能である。中心波長が赤外域である第一波長域にある光を照射する第一光学系と、中心波長が前記第一波長域に対して短い第二波長域の光を照射する第二光学系と、を備え、前記第一光学系は、ＯＣＴ光源から出射されたＯＣＴ光を測定光と参照光に分岐し、被検眼の組織によって反射された前記測定光の反射光と前記参照光の干渉光を受光することで、前記組織のＯＣＴ信号を取得する光コヒーレンストモグラフィ部と、前記被検眼の前眼部によって反射された赤外光である前眼部撮影光を受光することで、前記被検眼の前眼部を撮影する撮影素子と、を備え、前記第二光学系は、可視光である固視光を出射することで固指標を前記被検眼に投影する固視光源と、前記測定光よりも波長が短く、且つ前記前眼部撮影光よりも波長が短い短波長光によって、前記被検眼の眼底の撮影、および前記被検眼への治療光の照射の少なくとも何れかを行う短波長光学系と、を備え、前記測定光、前記前眼部撮影光、前記固視光、および前記短波長光の共通光路に配置され、前記測定光および前記前眼部撮影光が通過する第一光路と、前記固視光および前記短波長光が通過する第二光路に前記共通光路を分岐する波長分離部材を備え、前記測定光の光路に配置された１つまたは複数のレンズに、前記測定光の色収差を補正する色消しレンズを含むことを特徴とする眼科撮影装置。
【００３０】
＜実施形態＞
以下、本発明の典型的な一実施形態について、図面を参照して説明する。まず、図１を参照して、本実施形態の眼科撮影装置１の概略構成について説明する。本実施形態の眼科撮影装置１は、第一光学系１１０および第二光学系１２０を備える。第一光学系１１０は、中心波長が赤外域である第一波長域にある光を照射する光学系である。第二光学系１２０は、中心波長が第一波長域に対して短い第二波長域の光を照射する光学系である。第一光学系１１０は、前眼部観察光学系２００およびＯＣＴ光学系３００を備える。第二光学系１２０は、固視光学系４００および走査型レーザ検眼鏡（ＳＬＯ）光学系５００を備える。以下では、前眼部観察光学系２００の撮影素子２６が受光する赤外光を、前眼部撮影光と言う。ＯＣＴ光学系３００がＯＣＴ信号を取得するために被検眼Ｅに出射するＯＣＴ測定光を、単に測定光と言う。固視標を投影するために固視光学系４００から出射される光を固視光と言う。また、被検眼Ｅの眼底を撮影するためにＳＬＯ光学系５００から出射される光を短波長光と言う。眼科撮影装置１は更に、アライメント指標投影光学系６００、制御部７１、メモリ７２、および表示部７３を備える。
【００３１】
眼科撮影装置１において、前眼部撮影光、測定光、固視光、および短波長光の共通光路１０に、対物レンズ２１および第一波長分離部材２２が配置されている。第一波長分離部材２２は、測定光および前眼部撮影光が通過する第一光路１１と、固視光および短波長光が通過する第二光路１２に、共通光路１０を分岐する。測定光および前眼部撮影光は赤外光である。固視光は可視光である。短波長光の波長は、測定光の波長および前眼部撮影光の波長よりも短い。第一波長分離部材２２として、例えば、ダイクロイックミラー、ダイクロイックプリズム等の少なくともいずれかが用いられてもよい。一例として、本実施形態の第一波長分離部材２２にはダイクロイックミラーが用いられている。なお、本実施形態の第一波長分離部材２２は、測定光および前眼部撮影光を透過させると共に、固視光および短波長光を反射させることで、共通光路１０を分岐する。しかし、透過させる光と反射させる光が逆であってもよい。
【００３２】
第一光路１１には、第二波長分離部材２４が配置されている。本実施形態では、第一波長分離部材２２から第二波長分離部材２４までの光路に、レンズ２３が配置されている。第二波長分離部材２４は、前眼部撮影光の光路１１１と測定光の光路１１２に、第一光路１１を分岐する。第二波長分離部材２４として、例えば、ダイクロイックミラー、ダイクロイックプリズム等が用いられる。また、第二波長分離部材２４として、例えば、他のビームスプリッタ（例えば、ハーフミラー、穴開きミラー、ハーフミラーと波長フィルタの組合せ等）が用いられてもよい。本実施形態の第二波長分離部材２４は、前眼部撮影光を透過させ、且つ測定光を反射させることで、第一光路１１を分岐する。しかし、第二波長分離部材２４は、前眼部撮影光を反射させ、且つ測定光を透過させることで、第一光路１１を分岐してもよい。
【００３３】
共通光路１０および第一光路１１を含む前眼部撮影光の光路１１１には、前眼部観察光学系２００が設けられている。本実施形態では、前眼部観察光学系２００は、前眼部の正面観察画像を得るために用いられる。本実施形態では、前眼部観察光学系２００は、対物レンズ２１、第一波長分離部材２２、レンズ２３、第二波長分離部材２４、レンズ２５、および撮影素子２６を備える。撮影素子２６は、例えば、ＣＣＤ等の二次元撮像素子であってもよい。
【００３４】
本実施形態では、前眼部撮影光を被検眼Ｅの前眼部に照射する前眼部撮影光源２７として、アライメント指標投影光学系６００の複数の赤外光源が用いられる。アライメント指標投影光学系６００は、被検眼Ｅに対して光学系を位置合わせするために用いられる。本実施形態では、アライメント指標投影光学系６００の複数の赤外光源は、撮影光軸Ｌを中心とする同心円上に設けられる。なお、前眼部撮影光源２７として、アライメント指標投影光学系６００の複数の赤外光源とは別に、赤外光源が設けられてもよい。前眼部撮影光源２７の中心波長は、一例として９３０ｎｍである。撮影素子２６は、被検眼Ｅの前眼部によって反射された前眼部撮影光を受光することで、被検眼Ｅの前眼部を撮影する。撮影素子２６から出力された信号は制御部７１に入力される。制御部７１は、メモリ７２および表示部７３に接続されている。制御部７１は、入力された信号に基づいて、被検眼Ｅの前眼部の正面画像を生成し、メモリ７２に記憶に記憶してもよい。制御部７１は、生成された正面画像を表示部７３に表示させてもよい。
【００３５】
共通光路１０および第一光路１１を含む測定光の光路１１２には、ＯＣＴ光学系３００の測定光学系３１０が設けられている。ＯＣＴ光学系３００は、ＯＣＴ部３０の光学系である。ＯＣＴ光学系３００は、ＯＣＴの原理を用いて被検眼Ｅの組織のＯＣＴ信号を取得するために用いられる。本実施形態では、ＯＣＴ光学系３００は、ＯＣＴ光源（測定光源）３１、検出器（受光素子）３２、カップラー３３、測定光学系３１０、および参照光学系３２０を備える。ＯＣＴ光源３１は、ＯＣＴ信号を取得するための光（ＯＣＴ光）を出射する。カップラー３３は、ＯＣＴ光源３１から出射された光を、測定光と参照光に分岐する。また、本実施形態のカップラー３３は、被検眼Ｅの組織（例えば、眼底または前眼部等）によって反射された測定光と、参照光学系３２０によって生成された参照光とを合成し、合成された干渉光を検出器３２に受光させる。
【００３６】
測定光学系３１０は、カップラー３３によって分岐された測定光を被検眼Ｅの組織に導くと共に、被検眼Ｅの組織によって反射された測定光をカップラー３３に戻す。本実施形態では、測定光学系３１０は、対物レンズ２１から第二波長分離部材２４までの光路を前眼部観察光学系２００と共用する。測定光学系３１０は更に、レンズ３１１および走査部３１２を主に備える。走査部３１２は、光スキャナおよび駆動部を備える。光スキャナは、駆動部によって駆動されることで、測定光を偏向させることができる。本実施形態では、互いに異なる方向に測定光を偏向させることが可能な２つのガルバノミラーが光スキャナとして用いられる。しかしながら、光を偏向させる別のデバイス（例えば、ポリゴンミラー、レゾナントスキャナ、音響光学素子等の少なくともいずれか）が光スキャナとして用いられてもよい。
【００３７】
参照光学系３２０は、参照光を生成してカップラー３３に戻す。本実施形態の参照光学系３２０は、カップラー３３によって分岐された参照光を参照ミラー３２１によって反射させることで、参照光を生成する。しかしながら、参照光学系３２０の構成は変更できる。例えば、参照光学系３２０は、カップラー３３から入射した光を反射させずに透過させて、カップラー３３に戻してもよい。
【００３８】
検出器３２は、測定光と参照光の干渉信号を検出する。本実施形態では、フーリエドメインＯＣＴの原理が採用されている。フーリエドメインＯＣＴでは、干渉光のスペクトル強度（スペクトル干渉信号）が検出器３２によって検出され、スペクトル強度データに対するフーリエ変換によって複素ＯＣＴ信号が取得される。フーリエドメインＯＣＴの一例として、Ｓｐｅｃｔｒａｌ−ｄｏｍａｉｎ−ＯＣＴ（ＳＤ−ＯＣＴ）、Ｓｗｅｐｔ−ｓｏｕｒｃｅ−ＯＣＴ（ＳＳ−ＯＣＴ）等を採用できる。また、例えば、Ｔｉｍｅ−ｄｏｍａｉｎ−ＯＣＴ（ＴＤ−ＯＣＴ）等を採用することも可能である。本実施形態の眼科撮影装置１には、ＳＤ−ＯＣＴが搭載されている。例えば、眼科撮影装置１には、ＳＤ−ＯＣＴと交換して、ＳＳ−ＯＣＴを搭載可能であってもよい。
【００３９】
ＳＤ−ＯＣＴの場合、例えば、ＯＣＴ光源３１として低コヒーレント光源（広帯域光源）が用いられる。更に、ＳＤ−ＯＣＴの場合、例えば、干渉光の光路における検出器３２の近傍には、干渉光を各周波数成分（各波長成分）に分光する分光光学系（スペクトロメータ）が設けられる。ＳＤ−ＯＣＴの場合、ＯＣＴ光源３１の中心波長は、一例として８５０ｎｍである。ＳＳ−ＯＣＴの場合、例えば、ＯＣＴ光源３１として、出射波長を時間的に高速で変化させる波長走査型光源（波長可変光源）が用いられる。この場合、ＯＣＴ光源３１は、光源、ファイバーリング共振器、および波長選択フィルタを備えていてもよい。波長選択フィルタには、例えば、回折格子とポリゴンミラーを組み合わせたフィルタ、および、ファブリー・ペローエタロンを用いたフィルタ等がある。ＳＳ−ＯＣＴの場合、ＯＣＴ光源３１の中心波長は、一例として１０５０ｎｍである。
【００４０】
検出器３２から出力されたＯＣＴ信号は制御部７１に入力される。制御部７１は、ＯＣＴ信号に基づいて、被検眼Ｅの組織の断層画像のデータ等を生成し、メモリ７２に記憶に記憶してもよい。制御部７１は、生成された断層画像等を表示部７３に表示させてもよい。
【００４１】
次に、図２を参照して、本実施形態における測定光の光路１１２に配置される光学系について説明する。なお、図２では、被検眼Ｅから走査部３１２までの間に配置される光学系のみを図示し、他の部材は図示を省略している。また、前眼部撮影光源２７についても図示を省略している。レンズ２３については、部分拡大図も示す。
【００４２】
上述の通り、測定光および前眼部撮影光は赤外光であり、固視光は可視光である。また、短波長光の波長は、測定光の波長および前眼部撮影光の波長よりも短い。従って、短波長光の波長および固視光の波長は、測定光の波長および前眼部撮影光の波長よりも短い。第一波長分離部材２２は、共通光路１０を、第一光路１１（測定光のおよび前眼部撮影光の光路）と、第二光路１２（短波長光および固視光の光路）に分岐できるものでよい。従って、第一波長分離部材２２は、例えば、特定の範囲の波長の光のみを透過または反射するバンドパス特性を有する必要はない。また、第一波長分離部材２２のミラー面２２１と共通光路１０の光軸とがなす角度ｄは、４５度より大きく且つ９０度未満である。一般に、ダイクロイックミラー又はダイクロイックプリズムの光分岐性能は、最適化された入射角度が小さいほど、入射角度変化に対してロバスト性をもたせることが容易である。従って、第一波長分離部材２２に、必ずしも高い精度（例えば、ミラーの厚み、コーティング等）は要求されない。従って、中心波長が短波長光および固視光の波長に近いＯＣＴ光源３１（例えば中心波長が８５０ｎｍのＯＣＴ光源３１）が用いられる場合でも、第一光路１１が適切に分岐される。よって、中心波長が異なる複数種類のＯＣＴ光源３１を、多くの設計を共通にした状態で選択的に眼科撮影装置１に搭載することが容易になる。例えば、ＯＣＴ光源３１として、中心波長が８５０ｎｍであるＯＣＴ光源と、中心波長が１０５０ｎｍであるＯＣＴ光源の各々が、第一波長分離部材２２等の構成を共通にした状態で、眼科撮影装置１に選択的に搭載可能である。換言すれば、第一波長分離部材２２は、ＳＤ−ＯＣＴにおいて用いられるＯＣＴ光源の波長と、ＳＳ−ＯＣＴにおいて用いられるＯＣＴ光源の波長との両方を含む第一波長域の光を透過させると共に、第一波長域よりも短い波長域である第二波長域内の光を反射させることで、共通光路１０を分岐することができる。上述の通り、透過させる光と反射させる光が逆であってもよい。
【００４３】
また、望ましくは、角度ｄは、４５度より大きく且つ８０度未満である。更に望ましくは、角度ｄは、４５度より大きく且つ７０度未満である。上述のような高い精度を要求されるダイクロイックミラーをコーティングする際は、多層の膜が必要となり、その応力によって反りが発生する可能性があることが知られている（例えば、ＰＣＴ国際出願公開公報ＷＯ２０１５−１３７１８３号公報を参照）。その影響は、ダイクロイックミラーの母材（例えば、ガラス等）を厚くすることで、軽減することが可能である。しかしながら、ダイクロイックミラーにて光を透過させる光学系については、ダイクロイックミラーを透過する光路長が長いと、並行平板による球面収差や非点収差の影響が増加する。ダイクロイックミラーにて光を透過させる光学系については、ダイクロイックミラーの厚みに対し、入射角度の余弦の逆数倍に比例して実質的な光路長が大きくなる。従って、角度ｄを上記の角度として入射角度を小さくすることで、ダイクロイックミラーを厚くしてもその光路長増加は小さく抑えられる。これにより、反りを軽減しつつ球面収差や非点収差の影響を抑制することが可能となる。
【００４４】
測定光の光路１１２に配置されたレンズ（例えば、対物レンズ２１、レンズ２３、レンズ３１１等）には、測定光の色収差を補正する色消しレンズが含まれていてもよい。色消しレンズは、少なくとも１つの正レンズと少なくとも１つの負レンズを備えていてもよい。また、色消しレンズは、少なくとも１つの正レンズと少なくとも１つの負レンズが接合された接合レンズであってもよい。本実施形態では、被検眼Ｅの組織によって反射され、対物レンズ２１および第一波長分離部材２２を通過した光は、レンズ２３を通過する。例えば、レンズ２３が色消しレンズであってもよい。詳細には、レンズ２３は、１つの正レンズ２３１と１つの負レンズ２３２が接合された接合レンズであってもよい。正レンズ２３１と負レンズ２３２とで、光の分散（アッベ数）が異なっていてもよい。例えば、正レンズ２３１は低分散のレンズであり、負レンズ２３２は高分散のレンズであってもよい。色消しレンズとして、例えば、特開２０１７−１８４７８８号公報に開示されている接合レンズが用いられてもよい。
【００４５】
測定光の光路１１２に配置されたレンズに色消しレンズが含まれる場合、例えば、色消しレンズによって、８５０ｎｍ近傍の波長（例えば、８００ｎｍから９００ｎｍまでの波長）における色収差の補正、および、１０５０ｎｍ近傍の波長（例えば、１０００ｎｍから１１００ｎｍまでの波長）における色収差の補正の両方が可能であってもよい。また、例えば、色消しレンズによって、８５０ｎｍ近傍から１０５０ｎｍ近傍までの波長（例えば、８００ｎｍから１１００ｎｍまでの波長）の色収差の補正が可能であってもよい。この場合、ＯＣＴ光源３１を中心波長が異なる光源に交換した場合でも、ＯＣＴ光源３１の中心波長の違いによる色収差の影響が抑制される。なお、眼科撮影装置１は、色消しレンズを備えていなくてもよい。
【００４６】
また、測定光の光路１１２に配置されたレンズ（例えば、対物レンズ２１、レンズ２３、レンズ３１１等）の少なくとも何れかにに、中心波長が異なる複数種類のＯＣＴ光の反射を抑制するコーティングが施されていてもよい。コーティングは、例えば、８５０ｎｍ近傍の波長の光の反射と、１０５０ｎｍ近傍の波長の光の反射を共に抑制してもよい。また、ＯＣＴ光源３１が交換される際に、測定光の光路１１２に配置されたレンズの少なくともいずれかが、ＯＣＴ光源３１の波長に適したレンズに交換されてもよい。
【００４７】
図１に示すように、第二光路１２には、第三波長分離部材４４が配置されている。第一波長分離部材２２から第三波長分離部材４４までの光路には、レンズ４１、全反射ミラー４２、およびレンズ４３が順に設けられている。第三波長分離部材４４は、固視光の光路１２１と短波長光の光路１２２に、第二光路１２を分岐する。第三波長分離部材４４として、例えば、ダイクロイックミラー、ダイクロイックプリズム等が用いられる。また、第二波長分離部材２４として、例えば、他のビームスプリッタ（例えば、ハーフミラー、穴開きミラー、ハーフミラーと波長フィルタの組合せ等）が用いられてもよい。本実施形態の第三波長分離部材４４は、固視光を反射させ、且つ短波長光を透過させることで、第二光路１２を分岐する。しかし、第三波長分離部材４４は、固視光を透過させ、且つ短波長光を反射させてもよい。
【００４８】
共通光路１０および第二光路１２を含む固視光の光路１２１には、固視光学系４００が設けられている。固視光学系４００は、被検眼Ｅに向けて固視標を投影するために用いられる。被本実施形態では、固視光学系４００は、対物レンズ２１、第一波長分離部材２２、レンズ４１、全反射ミラー４２、レンズ４３、第三波長分離部材４４、レンズ４５、および固視光源４６を備える。固視光源４６は、可視光である固視光を出射する。一例として、本実施形態の固視光源４６の中心波長は５９０ｎｍである。
【００４９】
固視光源４６から出射された固視光は、レンズ４５、第三波長分離部材４４、レンズ４３、全反射ミラー４２、およびレンズ４１を経て、第一波長分離部材２２により反射される。更に、固視光は、対物レンズ２１を通過して、被検眼Ｅの眼底に集光する。被検者は、可視光を固視標として視認する。これにより、被検眼Ｅが固視される。
【００５０】
共通光路１０および第二光路１２を含む短波長光の光路１２２には、ＳＬＯ光学系５００が設けられている。ＳＬＯ光学系５００は、本実施形態の短波長光学系５０であるＳＬＯの光学系である。本実施形態では、ＳＬＯ光学系５００は、被検眼Ｅの眼底の正面画像を得るために用いられる。本実施形態では、ＳＬＯ光学系５００は、対物レンズ２１から第三波長分離部材４４までの光路を固視光学系４００と共用する。ＳＬＯ光学系５００は更に、レンズ５１、走査部５２、フォーカシングレンズ５３、ビームスプリッタ５４、コリメートレンズ５５、レーザ光源５６、集光レンズ５７、共焦点開口５８、および受光素子５９を備える。
【００５１】
ＳＬＯ光学系５００は、レーザ光源５６から出射されたレーザ光を、被検眼Ｅの眼底に照射する。受光素子５９は、被検眼Ｅの眼底によって反射された光を受光する。本実施形態において、レーザ光源５６は、短波長光として、近赤外光であるレーザ光を出射する。一例として、本実施形態のレーザ光源５６の中心波長は７８０ｎｍである。レーザ光源５６として、例えば、ＬＥＤ光源、およびＳＬＤ光源等が用いられてもよい。フォーカシングレンズ５３は、被検眼Ｅの屈折誤差に応じて光軸方向の位置を調節可能であってもよい。この場合、眼科撮影装置１は、フォーカシングレンズ５３の位置を変位させる駆動機構を備えていてもよい。
【００５２】
走査部５２は、レーザ光の光路中に配置されている。本実施形態では、走査部５２は、眼底上で横断方向（ＸＹ方向）にレーザ光を走査させるために用いられる。本実施形態において、走査部５２は、２つの光スキャナ（例えば、レゾナントスキャナと、ガルバノミラー等）を備える。走査部５２は、２つの光スキャナを駆動することで、レーザ光源５６らのレーザ光を、被検眼Ｅの眼底上で二次元的に走査する。
【００５３】
本実施形態において、集光レンズ５７、共焦点開口５８（例えば、ピンホール板）、および受光素子５９は、ビームスプリッタ５４の反射側に配置されている。共焦点開口５８は、被検眼Ｅの眼底に共役な位置に配置されている。
【００５４】
ここで、レーザ光源５６から出射されるレーザ光は、コリメートレンズ５５、ビームスプリッタ５４、およびフォーカシングレンズ５３を介して走査部５２に入射される。そして、走査部５２によって、レーザ光の反射方向が変更される。走査部５２を経たレーザ光は、レンズ５１、第三波長分離部材４４、レンズ４３を通過した後、全反射ミラー４２により反射される。更に、レーザ光は、レンズ４１を通過し、第一波長分離部材２２によって反射される。更に、レーザ光は、対物レンズ２１を通過して、被検眼Ｅの眼底に集光される。
【００５５】
被検眼Ｅの眼底で反射されたレーザ光は、対物レンズ２１からビームスプリッタ５４までの光路を逆に辿る。レーザ光は、ビームスプリッタ５４で反射され、集光レンズ５７および共焦点開口５８を通って、受光素子５９によって受光される。受光素子５９から出力された信号は制御部７１に入力される。制御部７１は、入力された信号に基づいて、被検眼Ｅの眼底の正面画像を生成し、メモリ７２に記憶に記憶してもよい。制御部７１は、生成された正面画像を表示部７３に表示させてもよい。
【００５６】
上記実施形態は、種々の変更が可能である。例えば、上記実施形態では、短波長光学系５０としてＳＬＯが用いられている。しかしながら、短波長光学系５０は、測定光および前眼部撮影光よりも波長が短い短波長光によって、被検眼Ｅの眼底の撮影および被検眼Ｅへの治療光の照射の少なくとも何れかを行ってもよい。例えば、眼科撮影装置１は、短波長光学系５０として、ＳＬＯ、眼底カメラ、およびレーザ治療部の少なくとも何れかを備えてもよい。この場合、眼底カメラとして、例えば、特開２０１６−１３２１０号公報に開示されている眼底カメラが用いられてもよい。レーザ治療部としては、例えば、特開２０１７−１５３７５１号公報に開示されているレーザ治療部が用いられてもよい。
【００５７】
ＯＣＴ光源３１が交換される場合には、交換後のＯＣＴ光源３１に合わせて、前眼部撮影光源２７が交換されてもよい。詳細には、ＯＣＴ光源３１が交換される場合に、交換後のＯＣＴ光源３１の中心波長との差が大きい中心波長の前眼部撮影光源２７が用いられてもよい。例えば、ＯＣＴ光源３１の中心波長が８５０ｎｍである場合、中心波長が９６０ｎｍの前眼部撮影光源２７が用いられ、ＯＣＴ光源３１の中心波長が１０５０ｎｍである場合、中心波長が９３０ｎｍの前眼部撮影光源２７が用いられてもよい。この場合、第二波長分離部材２４は、第一光路１１を、測定光の光路１１２と前眼部撮影光の光路１１１に精度良く分岐することができる。
【００５８】
また、例えば、眼科撮影装置１に、中心波長が異なる二つのＯＣＴ光源３１を選択的に搭載可能である場合、前眼部撮影光源２７の中心波長は、二つのＯＣＴ光源３１の各々の中心波長の間であってもよい。この場合、ＯＣＴ光源３１に応じて第二波長分離部材を交換してもよい。この場合でも、第二波長分離部材２４は、第一光路１１を、測定光の光路１１２と前眼部撮影光の光路１１１に精度良く分岐することができる。
【００５９】
上記実施形態における各々のレンズは、１つのレンズであってもよいし、複数のレンズからなるレンズ群であってもよい。
【００６０】
上記実施形態における第一波長分離部材２２は、本発明の「波長分離部材」の一例である。
【符号の説明】
【００６１】
１    眼科撮影装置
１０    共通光路
１１    第一光路
１２    第二光路
２２    第一波長分離部材
２３    レンズ
２６    撮影素子
２７    前眼部撮影光源
３０    ＯＣＴ部
３１    ＯＣＴ光源
４６    固視光源
５０    短波長光学系
１１０    第一光学系
１２０    第二光学系
１１１    光路
１１２    光路
１２１    光路
１２２    光路
Ｅ    被検眼
【図１】
2019080868.tif 000003
【図２】
2019080868.tif 000004